(57)【要約】【課題】  組み付け作業の効率を向上させるため、縦組を可能とする構造を備える油圧制御装置を提供する。【解決手段】  プランジャ２をスリーブ１の内部に組み付け、これらを一体にしてバルブ穴に組み付ける際に、バルブ穴が縦向きの場合であっても、スリーブ１に設けた段部１ａにより、プランジャ２がスリーブ１から脱落するのを阻止する。これにより、あらかじめスリーブ１にプランジャ２を組み付けた状態で、バルブ穴に縦組みすることができる。【選択図】        図２
2006153238.tif 000002
【特許請求の範囲】
【請求項１】
バルブボディと、前記バルブボディに形成されたバルブ穴に摺動可能に配設されるスプールと、前記バルブ穴に嵌入されるとともに前記スプールに対して前記バルブ穴の開口側に配設されるスリーブと、前記スリーブの内部に摺動可能に、かつ、前記スプールに当接可能に配設されるプランジャと、を有する油圧制御装置であって、
前記スリーブには、前記スプールに対向する側から前記プランジャが脱落するのを阻止する段部が設けられ、
前記バルブ穴を閉塞するプラグが前記スリーブとは別体に設けられていることを特徴とする、油圧制御装置。
【発明の詳細な説明】
【技術分野】
【０００１】
この発明は、油圧制御装置の構造に関する。
【背景技術】
【０００２】
自動車等の車両に使用される自動変速機は、プラネタリギヤユニット、複数の摩擦係合要素等を備え、各摩擦係合要素を所定の組合せで係脱させることによって、プラネタリギヤユニットのサンギヤ、リングギヤ、キャリヤ等の回転要素の回転速度を変化させ、複数の変速段を達成するようになっている。上記各摩擦係合要素は、油圧回路の油圧サーボへの油圧の給排によって係脱させられている。油圧回路には各種のソレノイドバルブ、切換バルブ等が配設され、所定のソレノイドバルブのソレノイドをオン・オフさせることにより、切換バルブが切り換えられ、上記油圧サーボに対して油圧の給排が制御される。
【０００３】
図３（Ａ）、（Ｂ）は、下記特許文献１に開示される油圧制御装置の断面構造を図示したものである。まず、図３（Ａ）を参照して、この油圧制御装置の構造について説明する。バルブボディ１０を有し、このバルブボディ１０に形成されたバルブ穴７に対して摺動可能にスプール５が配設されている。また、スプール５をバルブ穴７に配設した状態において、スプール５との間にスプリング６を介在させて、バルブ穴７に嵌入される円筒形状のスリーブ１を有している。このスリーブ１の一端側には、バルブ穴７を閉塞するための略円柱形状のプラグ３が一体形成されている。プラグ３およびスリーブ１をバルブ穴７に嵌入した状態で、プラグ３とバルブボディ１０との間を固定するためにキー４が打ち込まれている。円筒形状のスリーブ１の内部にはスプール５に対して当接可能な略円柱形状のプランジャ２が配設されている。
【０００４】
上記構成からなる油圧制御装置において、図３（Ａ）に示す状態は、正常時の状態を示す図である。特許文献１にあっては、ソレノイドバルブに異常が発生して、係合させる必要がない摩擦係合要素が係合させられると、自動変速機にインターロックが発生することから、インターロックを防止するために、ポート１に油圧が印加される。この状態が、図３（Ｂ）に示す状態である。ポートＰ１に油圧が印加されると、プランジャ２およびスプール５が、図中において下方に押し下げら、係合させる必要がない摩擦係合要素の油圧サーボに油圧が供給されるのが阻止される。
【特許文献１】特開２００３−１４０９６号公報
【発明の開示】
【発明が解決しようとする課題】
【０００５】
上記構成からなる油圧制御装置は、スリーブ１がプランジャ２を内包した状態でバルブ穴７を閉塞する形状となっている。したがって、プランジャ２をスリーブ１の内部に組付け、これらを一体にしてバルブ穴７に組み付ける際には、スリーブ１のスプール５に対向する側からスリーブ１の内部にプランジャ２をあらかじめ組み付けた上でバルブ穴７にスリーブ１を嵌入れることになるが、プランジャ２がスリーブ１の内部から脱落するのを防止するためには、バルブ穴７を横向きにして組み付け作業を行なう必要がある。特に、ロボット等を用いた自動組み付けの採用を考えた場合には、すべての組み付け作業を横組に変更しなければならなくなるなど、上記構成からなる油圧制御装置においては、組み付け作業の効率低下を招くこととなっている。また、横組みの場合、各部材同士の摺動面積が増加し、バルブ穴７内に異物を発生させるおそれもある。
【０００６】
この発明が解決しようとする課題は、油圧制御装置の組み付け作業において、横組を採用しなければならない点にある。したがって、この発明の目的は、組み付け作業の効率を向上させるため、縦組を可能とする構造を備える油圧制御装置を提供することにある。
【課題を解決するための手段】
【０００７】
この発明に基づいた油圧制御装置においては、バルブボディと、上記バルブボディに形成されたバルブ穴に摺動可能に配設されるスプールと、上記バルブ穴に嵌入されるとともに上記スプールに対して上記バルブ穴の開口側に配設されるスリーブと、上記スリーブの内部に摺動可能に、かつ、上記スプールに当接可能に配設されるプランジャと、を有する油圧制御装置であって、上記スリーブには、上記スプールに対向する側から上記プランジャが脱落するのを阻止する段部が設けられ、上記バルブ穴を閉塞するプラグが上記スリーブとは別体に設けられていることを特徴とする。
【発明の効果】
【０００８】
上記構成からなる油圧制御装置によれば、プランジャをスリーブの内部に組み付け、これらを一体にしてバルブ穴に組み付ける際に、バルブ穴を縦向きにした場合でも、スリーブに設けた段部により、プランジャがスリーブから脱落するのを阻止することができる。これにより、あらかじめスリーブにプランジャを組み付けた組立体の状態で、バルブ穴に縦組みすることが可能となる。その結果、組み付け性が向上し、自動組み付けへの対応も可能となる。また、縦組みを実施することができる結果、組み付け時における各部材同士の摺動面積が低下し、バルブ穴内での発生異物を減少させることも可能となる。
【発明を実施するための最良の形態】
【０００９】
以下、この発明に基づいた実施の形態における油圧制御装置について、図１および図２を参照しながら説明する。なお、図１（Ａ）、（Ｂ）は、この発明に基づいた本実施の形態における油圧制御装置の断面構造を示す図であり、図２は、この発明に基づいた本実施の形態における油圧制御装置の要部の組立を説明するための断面図である。なお、図３において説明した油圧制御装置と同一又は相当部分については、同一の参照番号を付し、重複する説明は繰り返さないこととする。
【００１０】
まず、図１（Ａ）および図２を参照して、本実施の形態における油圧制御装置の構造的特徴は、図３において説明した油圧制御装置と比較した場合、スリーブ１の形状にある。本実施の形態におけるスリーブ１は、円筒形状を有し、スプール５に対向する側において、内部方向に延びる突起部からなる段部１ａが形成されている。この段部１ａは、円筒形状のスリーブ１の全周にわたって設けられてもよいし、円周上、１箇所または複数箇所に部分的に設けるようにしても構わない。スリーブ１のスプール５に対向する側とは反対側は、開放状態に形成されている。また、プラグ３は、スリーブ１とは別部材により形成され、スリーブ１の開放端側を閉塞するため嵌入される軸部３ａと、この軸部３ａよりも大径に設けられ、バルブ穴７を閉塞するため嵌入される頭部３ｂとを有している。
【００１１】
上記構成からなる油圧制御装置において、その組立においては、まず図２に示すように、スリーブ１を縦にした状態で、スリーブ１の内部にプランジャ２を挿入する。このとき、プランジャ２の端面には、摺動部２ａの外径よりも小さい小径部２ｂが設けられ、小径部２ｂの外形により凹部領域２ｃが形成されている。その結果、スリーブ１の段部１ａの内面が、凹部領域２ｃに当接して、プランジャ２のスリーブ１からの脱落を阻止している。その後、スリーブ１の開放端側に、プラグ３の軸部３ａを嵌入する。これにより、スリーブ１、プランジャ２、および、プラグ３の組立体１００が完成する。その後、図１に示すように、この組立体１００をスプール５およびスプリング６が嵌め入れられたバルブ穴７に組み付け、キー４により組立体１００をバルブボディ１０に固定する。なお、図１（Ａ）は、ポートＰ１に油圧が印加されていないときの状態を示す断面図であり、図１（Ｂ）は、ポートＰ１に油圧が印加され、プランジャ２およびスプール５が、図中において下方に押し下げられた状態を示す断面図である。
【００１２】
以上、本実施の形態における油圧制御装置によれば、プランジャ２をスリーブ１の内部に組み付け、これらを一体にしてバルブ穴７に組み付ける際に、バルブ穴７が縦向きの場合であっても、スリーブ１に設けた段部１ａにより、プランジャ２がスリーブ１から脱落するのを阻止することができる。これにより、あらかじめスリーブ１にプランジャ２を組み付けた状態で、バルブ穴７に縦組みすることができる。その結果、組み付け性が向上し、自動組み付けへの対応も可能となる。また、縦組みを実施することができる結果、組み付け時におけるスリーブ１とプランジャ２との間、スリーブ１とバルブ穴７との間の摺動面積が低下し、発生異物を減少させることもできる。
【００１３】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００１４】
【図１】この発明に基づいた本実施の形態における油圧制御装置の断面構造を示す図であり、（Ａ）はポートＰ１に油圧が印加されないとき、（Ｂ）はポートＰ１に油圧が印加されたときの断面構造図である。
【図２】この発明に基づいた本実施の形態における油圧制御装置の要部の組立を説明するための断面図である。
【図３】背景技術における油圧制御装置の断面構造を示す図であり、（Ａ）はポートＰ１に油圧が印加されないとき、（Ｂ）はポートＰ１に油圧が印加されたときの断面構造図である。
【符号の説明】
【００１５】
１  スリーブ、１ａ  段部、２  プランジャ、２ａ  摺動部、２ｂ  小径部、２ｃ  凹部領域、３  プラグ、３ａ  軸部、３ｂ  頭部、４  キー、５  スプール、６  スプリング、７  バルブ穴、１０  バルブボディ、１００  組立体、Ｐ１  ポート。
【図１】
2006153238.tif 000003
【図２】
2006153238.tif 000004
【図３】
2006153238.tif 000005